(57)【要約】      （修正有）【課題】大きな電力の電気製品への給電に適させ、より長い時間の安定給電を確保できる携帯型巻軸式太陽光発電装置を提供する。【解決手段】携帯型巻軸式太陽光発電装置はローラ１、移動装置２及び太陽電池封止アセンブリ５を備え、太陽電池封止アセンブリはローラに巻き付けられるように設置され、ローラは移動装置に設置される。【選択図】図１
2019009991.tif 000002
【特許請求の範囲】
【請求項１】
ローラ、移動装置、ロッカーアーム、パネル及び太陽電池封止アセンブリを備え、
前記太陽電池封止アセンブリはローラに巻き付けられ、ローラの内部に電気回路は設置され、前記ローラは移動装置に設置され、ロッカーアームはローラに接続され、ローラを回転して、太陽封止アセンブリの巻き付け収納を補助することに用いられ、ロッカーアームを折り畳んで取り戻すことができ、
前記パネルはローラの側面中心位置に設置され、パネルに入出力ポートは設置されて、パネル回路に接続されることを特徴とする携帯型巻軸式太陽光発電装置。
【請求項２】
前記太陽電池封止アセンブリは封止布、ケーブル及びフレキシブル太陽電池アセンブリを備え、前記フレキシブル太陽電池アセンブリは耐摩耗性裏地に貼り付けられ、耐摩耗性裏地は４つの辺を折り返してフレキシブル太陽電池アセンブリを包んで貼り付け、耐摩耗性裏地とフレキシブル太陽電池アセンブリとの間に細管収納用内ポケットは設置され、細管収納用内ポケットはケーブルの配線及び接続に用いられることを特徴とする請求項１に記載の携帯型巻軸式太陽光発電装置。
【請求項３】
前記封止布の両端にいずれもほぞ穴は設置され、前記ほぞ穴は固定及び懸架に用いられ、封止布の一端に取っ手は設置されると同時に、バックルは設置され、他端にアウトレットは設置され、アセンブリにおけるケーブルはアウトレットから伸び出され、巻軸内部の回路に接続されることを特徴とする請求項１又は２に記載の携帯型巻軸式太陽光発電装置。
【請求項４】
前記ケーブルは封止布の両辺の縁部に沿って配線されることを特徴とする請求項３に記載の携帯型巻軸式太陽光発電装置。
【請求項５】
ケーブルをアセンブリから引き出してから、両側の収納用内ポケットに沿って配線し、最終的に巻軸のローラの内部に入って、最大電力追跡装置に接続し、各アセンブリから一本の正極ケーブルと一本の負極ケーブルを引き出し、各アセンブリはいずれも１つの装置に対応することを特徴とする請求項４に記載の携帯型巻軸式太陽光発電装置。
【請求項６】
前記ローラの直径は５００ｍｍ以下であることを特徴とする請求項５に記載の携帯型巻軸式太陽光発電装置。
【請求項７】
前記太陽電池封止アセンブリは１つ又は複数のフレキシブル太陽電池アセンブリをアレイに形成してなることを特徴とする請求項６に記載の携帯型巻軸式太陽光発電装置。
【請求項８】
前記ローラの内部に電気システムは設置され、前記電気システムは最大電力追跡装置、直流電源、充電回路、交流電源、電池及びパネル回路を備えることを特徴とする請求項７に記載の携帯型巻軸式太陽光発電装置。
【請求項９】
前記ケーブルをアセンブリから引き出してから最大電力追跡装置に接続し、各アセンブリから一本の正極ケーブルと一本の負極ケーブルを引き出し、各アセンブリはそれぞれ１つの最大電力追跡装置に対応し、アセンブリが既存の光線条件下で最大電力で発電し、次に直流電源を通してからそれぞれ電池及び／又は交流電源に接続し、最終的にパネル回路に接続するように制御し、前記直流電源と交流電源との間にインバータが接続されることを特徴とする請求項８に記載の携帯型巻軸式太陽光発電装置。
【請求項１０】
各ＭＰＰＴの電力は１００〜３００Ｗであってもよく、
前記直流電源は、変動する太陽光発電を安定する直流電源に転換し、電池を充電し、外部直流電気製品を動かして、及びインバータに給電し動作させることに用いられ、直流電源は５Ｖ、１２Ｖ、２４Ｖの複数の電圧レベルの直流電流を出力することができ、電力は２００〜１０００Ｗであってもよく、
前記交流電源にインバータは付けられ、前記インバータは直流電源又は電池からの直流電流をインバータによって１１０Ｖ又は２２０Ｖの交流電源に転換して外部交流電気製品に供給して使用することに用いられ、電力は２００〜１０００Ｗであってもよく、
電池はエネルギーの蓄積に用いられ、好ましくはゲル電池、リチウム電池を利用し、蓄積エネルギーは２００Ｗｈ〜１０００Ｗｈであってもよく、
充電回路は交流電流を電池への充電に使用できるように転換し、外部に日光がなく又は太陽光発電を利用しない時、外部から接続される交流電流を利用して電池を充電し、
パネル回路は保護回路及びパネルを備え、保護回路はヒューズを利用して出力電源を保護し、短絡を防止し、パネルは交流コンセント、直流コンセント、ＵＳＢコンセント、充電インタフェースで構成されることを特徴とする請求項９に記載の携帯型巻軸式太陽光発電装置。
【請求項１１】
ローラ、移動装置及び太陽電池封止アセンブリを備え、前記太陽電池封止アセンブリはローラに巻き付けられるように設置され、前記ローラは移動装置に設置される巻軸式太陽光発電装置。
【請求項１２】
前記ローラに設置されるパネルを更に備え、前記ローラの内部に更に電気システムは設置される請求項１１に記載の巻軸式太陽光発電装置。
【請求項１３】
ローラに接続されるように設置される折り畳みによる取り戻し可能なロッカーアームを更に備え、前記パネルは前記ローラの側面中心位置に設置されて、パネル回路に電気的に接続されるように設置され、前記パネルに入出力ポートは設置される請求項１２に記載の巻軸式太陽光発電装置。
【請求項１４】
前記太陽電池封止アセンブリは封止布、ケーブル及びフレキシブル太陽電池アセンブリを備え、前記フレキシブル太陽電池アセンブリは封止布に貼り付けられるように設置され、前記ケーブル及び前記フレキシブル太陽電池アセンブリは電気的に接続されるように設置される請求項１１〜１３のいずれか一項に記載の巻軸式太陽光発電装置。
【請求項１５】
封止布は、４つの辺を折り返してフレキシブル太陽電池アセンブリに貼り付け、フレキシブル太陽電池アセンブリを包み、封止布とフレキシブル太陽電池アセンブリとの間に細管収納用内ポケットは設置され、細管収納用内ポケットはケーブルの配線用に設置される請求項１４に記載の巻軸式太陽光発電装置。
【請求項１６】
前記封止布の両端にいずれもほぞ穴は設置され、前記封止布の一端に取っ手及びバックルは設置され、他端にアウトレットは設置され、ケーブルはアウトレットから伸び出され、電気システムに接続される請求項１４に記載の巻軸式太陽光発電装置。
【請求項１７】
細管収納用内ポケットは封止布の両辺の縁部に位置する請求項１５に記載の巻軸式太陽光発電装置。
【請求項１８】
ケーブルは最大電力追跡装置に電気的に接続されるように設置され、各フレキシブル太陽電池アセンブリから一本の正極ケーブルと一本の負極ケーブルを引き出し、各フレキシブル太陽電池アセンブリはいずれも１つの最大電力追跡装置に対応する請求項１４に記載の巻軸式太陽光発電装置。
【請求項１９】
前記ローラの直径は５００ｍｍ以下である請求項１１に記載の巻軸式太陽光発電装置。
【請求項２０】
前記太陽電池封止アセンブリは、１つ又は複数のフレキシブル太陽電池アセンブリを備える請求項１４に記載の巻軸式太陽光発電装置。
【請求項２１】
前記電気システムは最大電力追跡装置、直流電源、充電回路、交流電源、電池及びパネル回路を備え、前記最大電力追跡装置は前記直流電源によって前記充電回路、交流電源、電池に電気的に接続されるように設置され、前記直流電源、前記交流電源、前記充電回路は更に前記パネル回路に接続されるように設置される請求項１２又は１３に記載の巻軸式太陽光発電装置。
【請求項２２】
前記直流電源と交流電源との間にインバータは接続され、又は、前記交流電源にインバータは設置される請求項２１に記載の巻軸式太陽光発電装置。
【請求項２３】
各最大電力追跡装置の電力は１００Ｗ〜３００Ｗであり、
前記直流電源は、変動する太陽光発電を安定する直流電源に転換し、電池を充電し、外部直流電気製品を動かして、及びインバータに給電し動作させるように設置され、直流電源の出力電圧は５Ｖ、１２Ｖ、２４Ｖのうちのいずれか１つ又は複数を含み、電力は２００〜１０００Ｗであり、
前記交流電源にインバータは接続され、交流電源は直流電源又は電池からの直流電流をインバータによって１１０Ｖ又は２２０Ｖの交流電源に転換して外部交流電気製品に供給して使用するように設置され、電力は２００〜１０００Ｗであり、
電池はエネルギーを蓄積するように設置され、蓄積エネルギーは２００Ｗｈ〜１０００Ｗｈであり、
充電回路は、外部に日光がなく又は太陽光発電を利用しない時、外部から接続される交流電流を利用して電池を充電し、
パネル回路は保護回路を備え、保護回路はヒューズを利用して出力電源を保護し、パネルは交流コンセント、直流コンセント、ＵＳＢコンセント及び充電インタフェースを備える請求項２１に記載の巻軸式太陽光発電装置。
【請求項２４】
前記電気システムはディスプレイを更に備え、前記ディスプレイは前記パネル回路に電気的に接続される請求項２１に記載の巻軸式太陽光発電装置。
【発明の詳細な説明】
【技術分野】
【０００１】
本発明は、太陽光発電技術分野に関するが、それらに限らず、具体的に携帯型巻軸式太陽光発電装置及び巻軸式太陽光発電装置に関するが、それらに限らない。
【背景技術】
【０００２】
現代社会では主に伝統的な化石エネルギーに依存し、世界の総エネルギー消費量の７４％は石炭、石油、天然ガス等の鉱物エネルギーに由来する。化石エネルギーの応用は社会の発展を促進するが、資源が日増しに消耗し尽くしていく。化石エネルギーを無制限に使用することは、深刻な環境汚染及び気候変動問題を引き起こしてしまう。世界中の国々は次々に再生可能エネルギー及び新エネルギーの発展を将来のエネルギー戦略の重要な構成部分とするが、太陽エネルギーはその中の重要な開発目標の１つである。
【０００３】
それと同時に、人々は太陽電池、特に薄膜等のフレキシブル太陽電池の急速な発展から該問題を解決する希望を見たが、現在、市場には既に対応する製品、例えば太陽充電用紙、太陽充電パック等が出現した。しかしながら、これらの充電装置は短時間の緊急使用のみに適して、太陽光発電が安定せず、大型又は中型電気製品への給電に適しない。
【０００４】
フレキシブル太陽電池パネルの出現に伴い、人々も多くの携帯型太陽光充電装置を開発したが、これらの携帯型太陽光充電装置は多くの欠点を有し、例えば利用可能な太陽電池パネルの面積が小さすぎ、又は持ち込みに便利ではない。例えば一般的な電池パック構造は二枚の基板を備え、基板同士がヒンジ接続され、基板に太陽電池が設置され、太陽電池に更にルーフカバーが設置され、このような電池パックを左右に折り畳むことができるが、このような電池パック基板が硬質材料で製造され、一般的に簡単に折り畳むしかできず、折り畳んでから面積が依然として大きくて、電池パックの厚さも厚く、持ち込みに便利ではなく、且つ収納可能な電池アセンブリの電力も低い。
【発明の概要】
【発明が解決しようとする課題】
【０００５】
以下は本発明を詳しく説明した主題の概説である。本概説は特許請求の保護範囲を制限するためのものではない。
【課題を解決するための手段】
【０００６】
本発明は携帯型巻軸式太陽光発電装置及び巻軸式太陽光発電装置を提供し、該装置の細部の設置、封止方法、巻き付け方法及び電気構造の最適化によって、該携帯型巻軸式太陽光発電装置をより大きな電力の電気製品への給電に適させ、及びより長い時間の安定給電を確保できる。
【０００７】
本発明の実施例は巻軸式太陽光発電装置を開示して、ローラ、移動装置及び太陽電池封止アセンブリを備え、前記太陽電池封止アセンブリはローラに巻き付けられるように設置され、前記ローラは移動装置に設置される。
【０００８】
例示的な一実施例において、前記巻軸式太陽光発電装置は、更にローラに設置されるパネルを備え、前記ローラの内部に更に電気システムが設置される。
【０００９】
例示的な一実施例において、前記巻軸式太陽光発電装置は、ローラに接続されるように設置されるロッカーアームを更にを備え、前記ロッカーアームはローラを回転して、太陽電池封止アセンブリの巻き付け収納をを補助するように設置され、折り畳みによる取り戻し可能である。
【００１０】
例示的な一実施例において、前記電気システムは前記ローラの内部に設置され、前記パネルは前記ローラの側面中心位置に設置されて、電気板回路に点接続されるように設置され、前記パネルに入出力ポートが設置される。
【００１１】
例示的な一実施例において、前記太陽電池封止アセンブリは封止布、ケーブル及びフレキシブル太陽電池アセンブリを備え、前記フレキシブル太陽電池アセンブリは封止布に貼り付けられるように設置され、前記ケーブル及び前記フレキシブル太陽電池アセンブリは電気的に接続されるように設置される。
【００１２】
例示的な一実施例において、封止布は、４つの辺を折り返してフレキシブル太陽電池アセンブリに貼り付け、フレキシブル太陽電池アセンブリを包み、封止布とフレキシブル太陽電池アセンブリとの間に細管収納用内ポケットが設置され、細管収納用内ポケットはケーブルの配線用に設置される。
【００１３】
例示的な一実施例において、前記封止布の両端にいずれもほぞ穴が設置され、前記封止布の一端に取っ手及びバックルが設置され、他端にアウトレットが設置され、ケーブルがアウトレットから伸び出され、電気システムに接続される。
【００１４】
例示的な一実施例において、細管収納用内ポケットは封止布の両辺の縁部に位置する。
【００１５】
例示的な一実施例において、ケーブルは最大電力追跡装置に電気的に接続されるように設置され、各フレキシブル太陽電池アセンブリから一本の正極ケーブルと一本の負極ケーブルを引き出し、各フレキシブル太陽電池アセンブリはいずれも１つの最大電力追跡装置に対応する。
【００１６】
例示的な一実施例において、前記ローラの直径は５００ｍｍ以下である。
【００１７】
例示的な一実施例において、前記電気システムは最大電力追跡装置、直流電源、充電回路、交流電源、電池及びパネル回路を備え、前記最大電力追跡装置は前記直流電源によって前記充電回路、交流回路、電池に電気的に接続されるように設置され、前記直流電源、前記交流電源、前記充電回路は更に前記パネル回路に接続されるように設置される。
【００１８】
例示的な一実施例において、前記直流電源と交流電源との間にインバータは接続され、又は、前記交流電源にインバータは設置される。
【００１９】
例示的な一実施例において、各最大電力追跡装置の電力は１００Ｗ〜３００Ｗであり、
前記直流電源は、変動する太陽光発電を安定する直流電源に転換し、電池を充電し、外部直流電気製品を動かして、及びインバータに給電し動作させるように設置され、直流電源の出力電圧は５Ｖ、１２Ｖ、２４Ｖのうちのいずれか１つ又は複数を含み、電力は２００〜１０００Ｗであり、
前記交流電源にインバータが接続され、交流電源は直流電源又は電池からの直流電流をインバータによって１１０Ｖ又は２２０Ｖの交流電源に転換して外部交流電気製品に供給して使用するように設置され、電力は２００〜１０００Ｗであり、
電池はエネルギーを蓄積するように設置され、蓄積エネルギーは２００Ｗｈ〜１０００Ｗｈであり、
充電回路は外部に日光がなく又は太陽光発電を利用しない時、外部から接続される交流電流を利用して電池を充電し、
パネル回路は保護回路を備え、保護回路はヒューズを利用して出力電源を保護し、パネルは交流コンセント、直流コンセント、ＵＳＢコンセント及び充電インタフェースを備える。
【００２０】
例示的な一実施例において、前記電気システムはディスプレイを更に備え、前記ディスプレイは前記パネル回路に電気的に接続される。
【００２１】
例示的な一実施例において、前記太陽電池封止アセンブリの寸法は（３００ｍｍ〜５００ｍｍ）＊（６０００ｍｍ〜２００００ｍｍ）である。
【００２２】
本発明の実施例は携帯型巻軸式太陽光発電装置を提供し、ローラ、移動装置、ロッカーアーム、パネル及び太陽電池封止アセンブリを備え、前記太陽電池封止アセンブリはローラに巻き付けられ、ローラの内部に電気回路は設置され、前記ローラは移動装置に設置され、ロッカーアームはローラに接続され、ローラを回転して、太陽電池封止アセンブリの巻き付け収納を補助することに用いられ、ロッカーアームを折り畳んで取り戻すことができ、前記パネルはローラの側面中心位置に設置され、パネルに入出力ポートは設置されて、パネル回路に接続される。
【００２３】
更に、前記太陽電池封止アセンブリは封止布、ケーブル及びフレキシブル太陽電池アセンブリを備え、前記フレキシブル太陽電池アセンブリは耐摩耗性裏地に貼り付けられ、
耐摩耗性裏地は、４つの辺を折り返してフレキシブル太陽電池アセンブリを包み、耐摩耗性裏地とフレキシブル太陽電池アセンブリとの間に細管収納用内ポケットが設置され、細管収納用内ポケットはケーブルの配線及び接続に用いられる。
【００２４】
更に、前記封止布の両端にいずれもほぞ穴は設置され、それは固定及び懸架に用いられ、封止布の一端に取っ手は設置されると同時に、バックルは設置され、他端にアウトレットは設置され、アセンブリにおけるケーブルはアウトレットから伸び出され、巻軸内部の回路に接続される。
【００２５】
更に、前記ケーブルは封止布の両辺の縁部に沿って配線される。ケーブルが外縁部に沿って配線される設計によって、巻軸の厚さを減少させると同時に、巻軸の水平機械的強度を向上させることができる。
【００２６】
更に、ケーブルをアセンブリから引き出してから、両側の収納用内ポケットに沿って配線し、最終的に巻軸ローラの内部に入って、最大電力追跡装置（ＭＰＰＴ）に接続し、各アセンブリから一本の正極ケーブルと一本の負極ケーブルを引き出す。各アセンブリはいずれも１つのＭＰＰＴ装置に対応する。このような設計によって各アセンブリの最適な独立した発電制御を確保し、アセンブリの一部が破損、遮蔽されて、引き出されていなくても、正常アセンブリは依然として最大効果で発電できる。
【００２７】
更に、前記ローラの直径が５００ｍｍ以下である。
【００２８】
更に、前記太陽電池封止アセンブリは１つ又は複数のフレキシブル太陽電池アセンブリをアレイに形成してなり、好ましくは２つである。
【００２９】
更に、前記太陽電池封止アセンブリの寸法は３００〜５００ｍｍ＊６０００〜２００００ｍｍである。
【００３０】
更に、ローラの内部に電気システムが設置され、前記電気システムは最大電力追跡装置、直流電源、充電回路、交流電源（インバータ）、電池及びパネル回路を備える。
【００３１】
更に、前記ケーブルをアセンブリから引き出してから最大電力追跡装置（ＭＰＰＴ）に接続し、各アセンブリから一本の正極ケーブルと一本の負極ケーブルを引き出し、各アセンブリはそれぞれ１つのＭＰＰＴ装置に対応し、アセンブリが既存の光線条件下で最大電力で発電し、次に直流電源を通してからそれぞれ電池及び／又は交流電源に接続し、最終的にパネル回路に接続するように制御する。
【００３２】
更に、各アセンブリに１つの最大電力跟装置を配置し、アセンブリが既存の光線条件下で最大電力で発電するように制御し、好ましくは数が２つであり、各ＭＰＰＴの電力は１００〜３００Ｗであってもよく、好ましくは３００Ｗであり、
前記直流電源は、変動する太陽光発電を安定する直流電源に転換し、電池を充電し、外部直流電気製品を動かして、及びインバータに給電し動作させることに用いられ、直流電源は５Ｖ、１２Ｖ、２４Ｖ等の複数の電圧レベルの直流電流を出力することができ、電力は２００〜１０００Ｗであってもよく、好ましくは６００Ｗであり、
前記交流電源（インバータ）は直流電源又は電池からの直流電流を１１０Ｖ又は２２０Ｖの交流電源に転換して外部交流電気製品に供給して使用することに用いられ、電力は２００〜１０００Ｗであってもよく、好ましくは５００Ｗであり、
電池はエネルギーの蓄積に用いられ、ゲル電池、リチウム電池等を利用してもよく、好ましくはリチウム電池であり、蓄積エネルギーは２００Ｗｈ〜１０００Ｗｈであってもよく、好ましくは５００Ｗｈであり、
充電回路は、交流電流を電池への充電に使用できるように転換し、外部に日光がなく又は太陽光発電を利用しない時、外部から接続される交流電流を利用して電池を充電し、
パネル回路は保護回路及びパネルを備え、保護回路はヒューズを利用して出力電源を保護し、短絡を防止し、パネルは交流コンセント、直流コンセント、ＵＳＢコンセント、充電インタフェースで構成される。
【発明の効果】
【００３３】
本発明の実施例に係る携帯型巻軸式太陽光発電装置は、太陽巻帯の構造が安定し、故障しにくい。該携帯型巻軸式太陽光発電装置は、長時間のオフグリッド環境に適用し、大電力の装置に給電でき、該携帯型巻軸式太陽光発電装置の細部の設置、封止方法、巻き付け方法及び電気構造の最適化によって、該巻軸式発電装置をより大きな電力の電気製品への給電に適させ、及びより長い時間の安定給電を確保でき、最高電力は５００Ｗに達する。
【００３４】
図面及び詳細な説明を精読及び理解してから、他の態様を理解できる。
【図面の簡単な説明】
【００３５】
【図１】図１は本発明の一実施例に係る携帯型巻軸式太陽光発電装置の模式図である。
【図２】図２は本発明の一実施例に係る太陽電池封止アセンブリの構造模式図である。
【図３】図３は本発明の一実施例に係る電気システムの構造模式図である。
【発明を実施するための形態】
【００３６】
以下、図面を参照しながら実施例によって本発明を更に説明する。
【００３７】
携帯型巻軸式太陽光発電装置であって、ローラ１、移動装置２、ロッカーアーム３、パネル４及び太陽電池封止アセンブリ５を備え、
前記太陽電池封止アセンブリ５はローラ１に巻き付けられ、ローラ１の内部に電気回路は設置され、前記ローラは移動装置２に設置され、ロッカーアーム３はローラに接続され、ローラを回転して、太陽電池封止アセンブリ５の巻き付け収納を補助することに用いられ、ロッカーアームを折り畳んで取り戻すことができ、
前記パネル４はローラの側面中心位置に設置され、パネルに入出力ポートは設置されて、パネル回路に接続される。
【００３８】
前記太陽電池封止アセンブリ５は封止布５１、ケーブル５２及びフレキシブル太陽電池アセンブリ５３を備え、前記フレキシブル太陽電池アセンブリは耐摩耗性裏地に貼り付けられ、耐摩耗性裏地は４つの辺を折り返してフレキシブル太陽電池アセンブリを包んで貼り付け、耐摩耗性裏地とフレキシブル太陽電池アセンブリとの間に細管収納用内ポケットが設置され、細管収納用内ポケットはケーブルの配線及び接続に用いられる。
【００３９】
前記封止布の両端にいずれもほぞ穴５４は設置され、それは固定及び懸架に用いられ、封止布の一端に取っ手は設置されると同時に、バックルは設置され、前記バックルはバックルヘッド５５及びバックルベース５６を備え、他端にアウトレット５７は設置され、アセンブリにおけるケーブルはアウトレットから伸び出され、巻軸内部の回路に接続され、前記封止布はアウトレット５７側のほぞ穴５４によってローラに固定され、前記固定はリベットで固定するか又は挟み板で封止布を挟み板とローラとの間に挟むかである。
【００４０】
前記ケーブルは封止布の両辺の縁部に沿って配線される。
【００４１】
ケーブルをアセンブリのアセンブリアウトレットボックス５８から引き出してから、両側の収納用内ポケットに沿って配線し、最終的に巻軸ローラの内部に入って、最大電力追跡装置に接続し、各アセンブリから一本の正極ケーブルと一本の負極ケーブルを引き出し、各アセンブリはいずれも１つの装置に対応する。
【００４２】
前記ローラの直径は３００ｍｍである。
【００４３】
前記太陽電池封止アセンブリは１つ又は２つのフレキシブル太陽電池アセンブリをアレイに形成してなる。
【００４４】
ローラの内部に電気システムは設置され、前記電気システムは最大電力追跡装置、直流電源、充電回路、交流電源、電池及びパネル回路を備える。図３に示すように、前記ケーブルをアセンブリから引き出してから最大電力追跡装置に接続し、各アセンブリから一本の正極ケーブルと一本の負極ケーブルを引き出し、各アセンブリはそれぞれ１つのＭＰＰＴ装置に対応し、アセンブリが既存の光線条件下で最大電力で発電し、次に直流電源を通してからそれぞれ電池及び／又は交流電源に接続し、最終的にパネル回路に接続するように制御し、前記直流電源と交流電源との間にインバータが接続される。
【００４５】
各ＭＰＰＴの電力は３００Ｗであり、
前記直流電源は、変動する太陽光発電を安定する直流電源に転換し、電池を充電し、外部直流電気製品を動かして、及びインバータに給電し動作させることに用いられ、直流電源は５Ｖ、１２Ｖ、２４Ｖ等の複数の電圧レベルの直流電流を出力することができ、好ましくは電力が６００Ｗであり、
前記交流電源（インバータ）は直流電源又は電池からの直流電流をインバータによって１１０Ｖ又は２２０Ｖの交流電源に転換して外部交流電気製品に供給して使用することに用いられ、好ましくは電力が５００Ｗであり、
電池はエネルギーの蓄積に用いられ、リチウム電池であり、好ましくは蓄積エネルギーが５００Ｗｈであり、
充電回路は、交流電流を電池への充電に使用できるように転換し、外部に日光がなく又は太陽光発電を利用しない時、外部から接続される交流電流を利用して電池を充電し、
パネル回路は保護回路及びパネルを備え、保護回路はヒューズを利用して出力電源を保護し、短絡を防止し、パネルは交流コンセント、直流コンセント、ＵＳＢコンセント、充電インタフェースで構成される。
【００４６】
使用する時、携帯型巻軸式太陽光発電装置を引き離し、日光は十分である箇所に置いて充電すればよく、内部に電力貯蔵用電池は設置されるため、日光は十分でない場合でも安定して給電でき、該携帯型巻軸式太陽光発電装置は長時間の野外使用に適して、電力がより大きな電気製品に給電できると同時に、収納しやすく、使用しない時、占有スペースがより小さい。
【００４７】
詳細な説明
【００４８】
図１に示すように、巻軸式太陽光発電装置はローラ１、移動装置２、ロッカーアーム３、パネル４及び太陽電池封止アセンブリ５を備え、
前記太陽電池封止アセンブリ５はローラ１に巻き付けられ、ローラ１の内部に電気システムは設置され、前記ローラ１は移動装置２に設置され、ロッカーアーム３はローラ１に接続されるように設置され、ロッカーアーム３はローラ１を回転して、太陽電池封止アセンブリ５の巻き付け収納を補助するように設置され、ロッカーアーム３を折り畳んで取り戻すことができ、
前記パネル４はローラ１の側面中心位置に設置され、パネル４に入出力ポートは設置されて、パネル回路に接続されるように設置される。
【００４９】
前記太陽電池封止アセンブリ５は封止布５１、ケーブル５２及びフレキシブル太陽電池アセンブリ５３を備え、前記フレキシブル太陽電池アセンブリ５３は封止布５１に貼り付けられ、封止布５１は４つの辺を折り返してフレキシブル太陽電池アセンブリ５３を包んで貼り付け、封止布５１とフレキシブル太陽電池アセンブリ５３との間に細管収納用内ポケットが設置され、細管収納用内ポケットはケーブルの配線及び電気的接続に設置される。前記封止布５１は耐摩耗性裏地であってもよい。
【００５０】
ケーブル及びフレキシブル太陽電池アセンブリは電気的に接続されるように設置され、封止布５１は４つの辺を折り返してフレキシブル太陽電池アセンブリ５３に貼り付け、フレキシブル太陽電池アセンブリ５３を包み、ケーブルは細管収納用内ポケット内に位置する。
【００５１】
前記封止布５１の両端にいずれもほぞ穴５４は設置され、ほぞ穴５４は固定及び懸架に設置され、封止布５１の一端に取っ手及びバックルは設置され、前記バックルはバックルヘッド５５及びバックルベース５６を備え、他端にアウトレット５７が設置され、フレキシブル太陽電池アセンブリ５３のケーブルはアウトレット５７から伸び出され、ローラ１内部の電気システムに接続されるように設置され、前記封止布５１はアウトレット５７側のほぞ穴５４によてローラ５１に固定され、前記固定がリベットで固定するか又は挟み板で封止布を挟み板とローラとの間に挟むかである。
【００５２】
アウトレット５７を離れる封止布５１の一端に取っ手を設置し、取っ手は図１における太陽電池封止アセンブリ５の伸出端部に位置してもよい。
【００５３】
細管収納用内ポケットはフレキシブル太陽電池アセンブリ５３の両側に位置して、封止布５１の両辺の縁部に位置し、前記ケーブル５２は封止布５１の両辺の縁部に沿って配線される。
【００５４】
ケーブル５２が両辺の縁部に沿って配線される設計によって、巻軸の厚さを減少させることができるだけでなく、巻軸の水平機械的強度を向上させることもできる。
【００５５】
図２に示すように、ケーブル５２は、フレキシブル太陽電池アセンブリ５３のアセンブリアウトレットボックス５８から引き出してから、両側の細管収納用内ポケットに沿って配線し、最終的にローラ５１の内部に入って、最大電力追跡装置に接続するように設置され、各フレキシブル太陽電池アセンブリ５３から一本の正極ケーブルと一本の負極ケーブルを引き出し、各フレキシブル太陽電池アセンブリ５３はいずれも１つの最大電力追跡装置に対応する。
【００５６】
このような設計によって、各アセンブリの最適な独立した発電制御を確保し、アセンブリの一部が破損、遮蔽されて、引き出されていなくても、正常のアセンブリは依然として最大効果で発電できる。
【００５７】
前記ローラ５１の直径は５００ｍｍ以下であり、３００ｍｍとして設計してもよい。
【００５８】
図２及び図３に示すように、前記太陽電池封止アセンブリは２つのフレキシブル太陽電池アセンブリを備え、２つのフレキシブル太陽電池アセンブリ５３（すなわち図３における２つのフレキシブル太陽電池アセンブリ）はアレイを形成する。
【００５９】
図３に示すように、ローラ５１の内部に電気システムは設置され、前記電気システムは最大電力追跡装置、直流電源、充電回路、交流電源、電池及びパネル回路を備える。図３に示すように、前記ケーブルはフレキシブル太陽電池アセンブリ５３から引き出してから最大電力追跡装置に接続するように設置され、各フレキシブル太陽電池アセンブリ５３から一本の正極ケーブルと一本の負極ケーブルを引き出し、各フレキシブル太陽電池アセンブリ５３はそれぞれ１つのＭＰＰＴ最大電力追跡装置に対応し、フレキシブル太陽電池アセンブリ５３は既存の光線条件下で最大電力で発電し、次に直流電源を通してから電池及び交流電源のうちのいずれか１つ又は２つに接続し、最終的にパネル回路に接続し、前記直流電源と交流電源との間にインバータは接続されてもよい。
【００６０】
最大電力追跡装置は直流電源によって充電回路、交流回路、電池に電気的に接続されるように設置され、直流電源、交流電源、充電回路もパネル回路に接続されるように設置され、直流電源は電池及び交流電源のうちのいずれか１つ又は２つに接続されるように設置され、更にパネル回路に接続されるように設置される。
【００６１】
各ＭＰＰＴ最大電力追跡装置の電力は１００Ｗ〜３００Ｗであってもよく、３００Ｗとして設置してもよく、
前記直流電源は、変動する太陽光発電を安定する直流電源に転換し、電池を充電し、外部直流電気製品を動かして、及びインバータに給電し動作させるように設置され、直流電源は５Ｖ、１２Ｖ、２４Ｖ等の複数の電圧レベルの直流電流を出力することができ、電力は２００Ｗ〜１０００Ｗであってもよく、６００Ｗとして設置してもよく、
前記交流電源（インバータが設置される）は、直流電源又は電池からの直流電流をインバータによって１１０Ｖ又は２２０Ｖの交流電源に転換して外部交流電気製品に供給して使用するように設置され、電力は２００Ｗ〜１０００Ｗであってもよく、５００Ｗとして設置してもよく、
電池はエネルギーを蓄積するように設置され、リチウム電池又はゲル電池であり、蓄積エネルギーは２００Ｗｈ〜１０００Ｗｈであってもよく、５００Ｗｈとして設置してもよく、
充電回路は、外部に日光がなく又は太陽光発電を利用しない時、外部から接続される交流電流を利用して電池を充電するように設置され、
パネル回路は保護回路を備え、保護回路はヒューズを利用して出力電源を保護し、短絡を防止し、パネルは交流コンセント、直流コンセント、ＵＳＢコンセント及び充電インタフェースを備える。パネルは保護回路に電気的に接続される。
【００６２】
パネルは交流コンセント、直流コンセント、ＵＳＢコンセント及び充電インタフェースを備え、入出力ポートはパネルに位置し、入出力ポートは入力ポート及び出力ポートを含む。
【００６３】
例示的な一実施例において、入出力ポートは交流コンセント、直流コンセント、ＵＳＢコンセント及び充電インタフェースに位置し、交流コンセント、直流コンセント、ＵＳＢコンセントの差し込み口は出力ポートであり、充電インタフェースの差し込み口は入力ポートである。
【００６４】
パネルにディスプレイは更に設置され、ディスプレイは保護回路に電気的に接続され、電量情報、電流情報、時間情報等を表示することに用いられる。ＵＳＢコンセントは携帯電話、充電宝等を充電することに用いられる。
【００６５】
図３に示すように、フレキシブル太陽アセンブリがフレキシブル太陽電池アセンブリである。
【００６６】
使用する時、携帯型巻軸式太陽光発電装置を引き離し、日光は十分である箇所に置いて充電すればよく、内部に電池は設置されるため、日光は十分でない場合でも安定して給電でき、該携帯型巻軸式太陽光発電装置は長時間の野外使用に適して、電力がより大きな電気製品に給電でき、更に収納しやすく、使用しない時、占有スペースがより小さい。
【００６７】
以上の実施例は本発明を具体的に説明するためのものであり、本発明の保護範囲を制限するためのものではなく、本発明の保護範囲は特許請求に準じる。本分野の公知技術及び本発明に開示される技術的解決手段に基づき、多くの変形案を導出又は連想することができ、これらの変形案はすべて本発明の保護範囲に含まれると見なされる。
【図１】
2019009991.tif 000003
【図２】
2019009991.tif 000004
【図３】
2019009991.tif 000005